(57)【要約】【課題】フェース部２の内表面８における面特性に適切な改良を加えることにより、良質の成膜性を確保した上で反射光を弱めることを可能にして、商品価値の高い陰極線管用ガラスパネル１を提供する。【解決手段】パネル１のフェース部２の内表面８における中心軸Ｚ及びその周辺部を有する第１領域１１を、各コーナー５及びその周辺部を有する第２領域１２に比して、フェース部２の外表面側からの光の反射を弱める特性を有するように構成する。そして、第１領域１１の外周縁を、中心軸Ｚを径方向中心とする円弧に沿うように形成し、第２領域１２の表面粗さを第１領域１１の表面粗さよりも相対的に小さくした上で、第２領域１２が、各コーナー５に３０×３０ｍｍ〜８０×８０ｍｍの各矩形領域１４を含むように構成する。【選択図】　　　　図１
2004022244.tif 000002
【特許請求の範囲】
【請求項１】
略矩形のフェース部と、該フェース部の周縁に略垂直に連なる各辺部を有するスカート部とを備えた陰極線管用ガラスパネルにおいて、
前記フェース部の内表面が、中心軸とその周辺部を有する第１領域と、各コーナーとその周辺部を有し且つ前記第１領域とオーバーラップしない第２領域とを備え、前記第１領域が、前記フェース部の外表面側からの光の反射を前記第２領域よりも相対的に弱める特性を有していることを特徴とする陰極線管用ガラスパネル。
【請求項２】
前記第１領域の外周縁が、前記中心軸を径方向中心とする円弧に沿うように形成されていることを特徴とする請求項１に記載の陰極線管用ガラスパネル。
【請求項３】
フェース部の中央部における波長５４６ｎｍの光の透過率が５０％以上とされていることを特徴とする請求項１または２に記載の陰極線管用ガラスパネル。
【請求項４】
前記第２領域の表面粗さが、前記第１領域の表面粗さよりも相対的に小さく、且つ、前記第２領域が、各コーナーに３０×３０ｍｍ〜８０×８０ｍｍの各矩形領域を含むことを特徴とする請求項１〜３に記載の陰極線管用ガラスパネル。
【請求項５】
前記第１領域の十点平均粗さによる表面粗さＡが２〜５μｍ、前記第２領域の十点平均粗さによる表面粗さＢが０．５〜３μｍであり、且つ、Ａ＞Ｂであることを特徴とする請求項１〜４の何れかに記載の陰極線管用ガラスパネル。
【請求項６】
前記第１領域と第２領域との間に、第１領域側から第２領域側に移行するに連れて表面粗さが小さくなる第３領域を介在させ、該第３領域に対する第１領域及び第２領域のそれぞれの境界が、前記中心軸をそれぞれの径方向中心とする同心上の円弧に沿うように形成されていることを特徴とする請求項１〜５の何れかに記載に陰極線管用ガラスパネル。
【請求項７】
前記第２領域と第３領域との境界が、第２領域の各コーナーにおける３０×３０ｍｍ〜８０×８０ｍｍの各矩形領域に接する円弧に沿うように形成されていることを特徴とする請求項６に記載の陰極線管用ガラスパネル。
【請求項８】
雌成型面を有し且つ溶融ガラス塊が供給される受け型と、雄成型面を有し且つ前記受け型内の溶融ガラス塊を押延する押し型とを備え、請求項１〜７の何れかに記載の陰極線管用ガラスパネルを成型する成型装置であって、
前記押し型の雄成型面における前記陰極線管用ガラスパネルのフェース部の内表面に対応する成型面部が、該押し型を中心軸廻りに回転させつつサンドブラストを施すことにより形成されたものであることを特徴とする陰極線管用ガラスパネルの成型装置。
【発明の詳細な説明】
【０００１】
【産業上の利用分野】
本発明は、陰極線管用ガラスパネル及びその製造に用いる成型装置に係り、特に陰極線管用ガラスパネルにおけるフェース部内表面の面特性の改良技術に関する。
【０００２】
【従来の技術】
周知のように、陰極線管は、主たるガラス部品として、図６に示すようなガラスパネル（以下、単にパネルという）１と、該パネル１にその大開口端が溶着される略漏斗状のファンネルと、該ガラスファンネルの小開口端に溶着される小径円筒状のネック管とを有する。
【０００３】
前記パネル１は、画像を表示する有効画面を備えたフェース部２と、該フェース部２の周縁にブレンドＲ部３を介して該フェース部２を囲繞するように略直角に連なるスカート部４とを備える。前記スカート部４は、四つのコーナー部５を介して連なる長辺部６ａ及び短辺部６ｂを有し、この各辺部６ａ、６ｂの先端における開口端に、前記ファンネルとの溶着接合に供される封着端面７が形成されている。
【０００４】
この種のパネル１は、基台に設置され且つ雌成型面を有する受け型と、該受け型に対して上下昇降可能とされ且つ雄成型面を有する押し型とからなる成型装置によってプレス成型される。詳述すると、前記受け型内に高温の溶融ガラス塊を供給した後、前記押し型を下降させて該受け型内の溶融ガラス塊を押延し、然る後、前記押し型を上昇させて冷却等を含む所定の各処理を行うことにより成型工程が完了する。
【０００５】
そして、例えばブラックストライプ形カラー受像管のパネル１においては、フェース部２の内表面８に、ブラックストライプ形成用の感光性樹脂や蛍光膜を塗布し且つ露光を施して所望の蛍光面を得る必要があるため、これらの樹脂や蛍光膜の付着力を適正にすること、並びに良質のブラックストライプを得ることを目的として、該フェース部２の内表面８には、スティップルと称される微小凹凸が形成される。
【０００６】
この場合、上述の感光性樹脂や蛍光膜の塗布工程時には、パネル１のフェース部２の内表面８に塗布液を滴下して、該パネル１の中心軸Ｚ廻りの回転による遠心力の作用によって塗布液を薄く延ばすことが行われる。また、上述の露光工程時には、フェース部２の内表面８に所定隙間を介してシャドウマスクを配設し、パネル１の中心軸Ｚ上（管軸上）に設置した光源からフェース部２の内表面８に向けて光を照射することが行なわれる。
【０００７】
ところで、前記微小凹凸は、フェース部２の内表面８全域に亘って均一な表面粗さとして形成されているのが通例である。そして、良質の蛍光面を得ること、つまり良質の成膜性を得ることを重視する場合において、この要請に応じるには、前記微小凹凸の表面粗さを小さくするのが好適であるとされている。
【０００８】
【発明が解決しようとする課題】
しかしながら、上述のようにフェース部２の内表面８における微小凹凸の表面粗さを小さくしたならば、該フェース部２の外表面側から入射してその内表面８で反射する光の拡散性が低下することから、その反射光が不当に強くなる。
【０００９】
そして、フェース部２の外方からの観察者（視聴者）は、この反射光を明確に視認できることになるため、フェース部２に映し出される本来の画像に加えて、観察者の周囲の風景などが反射光となって観察者の目に入ってくることになり、これに起因して商品特性が低下する。
【００１０】
このような不具合を回避するには、前記微小凹凸の表面粗さを大きくして、フェース部の内表面で反射する光の拡散性を大きくすることにより、反射光を弱めることが考えられるが、このような単純な手法では、既に述べたように良質の蛍光面（成膜性）を得ることができなくなり、陰極線管の本質的な機能が阻害され、却って問題が大きくなる。
【００１１】
本発明は、上記事情に鑑みてなされたものであり、フェース部の内表面における面特性に適切な改良を加えることにより、良質の成膜性を確保した上で反射光による悪影響を回避することを可能にして、商品価値の高い陰極線管用ガラスパネルを提供することを技術的課題とする。
【００１２】
【課題を解決するための手段】
上記技術的課題を解決するため、本発明者等は、以下に示す２点に着目して後述する本発明を完成するに至った。
【００１３】
主たる点は、陰極線管におけるパネルのフェース部に映し出される画像を、視聴者等の観察者が見る場合には、主として画面の中心及びその周辺を集中的に見ていることが多く、各コーナー周辺部を凝視することは殆どないため、各コーナー周辺部に観察者の注意が集中している時間は、中心周辺部に比して大幅に短くなる。したがって、フェース部内表面での反射光による悪影響は、各コーナー周辺部を除外して対策を講じればよいことになる。
【００１４】
第２の点は、既述のように、感光性樹脂や蛍光膜の塗布が遠心力を利用して行なわれるためにフェース部内表面の各コーナー周辺部の膜厚を高精度に管理できない事と、ブラックストライプの露光がパネルの中心軸上の光源を利用して行なわれるために各コーナー周辺部の露光エネルギーが中心周辺部に比して弱くなる事とが原因となって、各コーナー周辺部における成膜性が中心周辺部に比して悪化する。したがって、フェース部内表面に対する成膜性に関しては、各コーナー周辺部に重点をおいて対策を講じればよいことになる。
【００１５】
以上の２点に着目してなされた本発明は、略矩形のフェース部と、該フェース部の周縁に略垂直に連なる各辺部を有するスカート部とを備えた陰極線管用ガラスパネルにおいて、前記フェース部の内表面が、中心軸とその周辺部を有する第１領域と、各コーナーとその周辺部を有し且つ前記第１領域とオーバーラップしない第２領域とを備え、前記第１領域が、前記フェース部の外表面側からの光の反射を前記第２領域よりも相対的に弱める特性を有していることを特徴とするものである。
【００１６】
このような構成によれば、フェース部の内表面における中心軸とその周辺部を有する第１領域が、各コーナーとその周辺部を有する第２領域に比して、フェース部の外表面側からの光の反射を弱める特性を有していることから、視聴者等の観察者の注意力や意識が主としてフェース部に映し出される画像の中心周辺部に注がれることを勘案すれば、その中心周辺部から観察者の目に入る反射光が弱いため、周囲の風景などがフェース部内表面で反射しても、その反射光が画像と相俟って観察者の目に入る度合が低減され、これにより商品特性の向上を図ることが可能となる。一方、各コーナーとその周辺部については、フェース部内表面からの反射光が相対的に強くなっているが、フェース部に映し出される画像のコーナー周辺部を観察者が凝視することは殆どなく、しかもコーナー周辺部を観察者が見る時間は中心周辺部に比して極端に短くなる。したがって、コーナー周辺部からの反射光が画像と相俟って観察者の目に入る確率が極めて低く、この反射光に注意を引かれるような事態は生じないため、商品特性の低下を惹き起こすには至らない。そして、このように各コーナー周辺部における反射光が中心周辺部に比して強くなっても差し支えないことから、各コーナー周辺部の微小凹凸の表面粗さを相対的に小さくすることが可能となって、各コーナー周辺部の成膜性の改善が図られる。
【００１７】
この場合、前記第１領域の外周縁は、前記中心軸を径方向中心とする円弧に沿うように形成されていることが好ましい。ここで、「円弧に沿うように形成」とは、第１領域の外周縁がその全周に亘る略真円に沿うように形成されている場合だけでなく、その略真円がスカート部の長辺部によって途中で途切れた形態となっている場合をも含む（以下、同様概念）。このように構成すれば、観察者がフェース部の画像の中心周辺部を見る場合に視界の中で注意を注ぐ領域が、中心軸を径方向中心とする略円弧で区画された領域となる傾向があることを勘案すれば、反射光が弱められる領域と観察者の注意が注がれる領域とを大略一致させることが可能となる。これにより、観察者が強い反射光による悪影響を受けるという事態が、より確実に抑制されると共に、第１領域の形成に無駄が生じ難くなる。なお、観察者が左右２つの目でフェース部の画像の中心周辺部を見ることを勘案すれば、第１領域は、短軸方向よりも長軸方向に長尺に形成されていること、換言すれば横長に形成されていることが好ましい。
【００１８】
そして、以上の構成は、フェース部の中央部における波長５４６ｎｍの光の透過率が５０％以上とされた陰極線管用ガラスパネルに適している。すなわち、この場合の光の透過率が５０％未満のガラスパネルであると、フェース部の外表面側から入射し且つ内表面における中心軸周辺部で反射してフェース部から出射する反射光が、内表面の特性の如何に拘わらず、観察者に悪影響を及ぼすに至る程度まで強いものとはならない。したがって、この場合には、上述のように第１領域での反射光を相対的に弱めることに価値ある意義を見出せない。これに対して、上述の光の透過率が５０％以上のガラスパネルであると、フェース部内表面の中心軸周辺部での反射光が、観察者にとって目立つ存在となる。このため、上述のように第１領域での反射光を相対的に弱めることに大きな意義が生じることになる。
【００１９】
また、以上の構成において、上述の第２領域の表面粗さを第１領域の表面粗さよりも相対的に小さくした上で、第２領域が、各コーナーに３０×３０ｍｍ〜８０×８０ｍｍの各矩形領域を含むようにすることが好ましい。すなわち、相対的に表面粗さの小さい領域が、各コーナーにおける３０×３０ｍｍ以上の矩形領域を有していないならば、既述のように、フェース部内表面に対する感光性樹脂や蛍光膜の塗布を遠心力を利用して行なう事と、ブラックストライプの露光をパネルの中心軸上の光源を利用して行なう事とを勘案した場合に、各コーナー周辺部における成膜性を向上させるべき領域が不足する。これに対して、相対的に表面粗さの小さい領域が、各コーナーにおける８０×８０ｍｍを超える矩形領域を有していたならば、フェース部内表面からの反射光の強い領域が、中心軸に近づき過ぎることになり、フェース部に映し出される画像の中心周辺部を見ている観察者が、その反射光の存在を明確に視認できることになり、商品特性の低下を招く。したがって、第２領域は、上述のような範囲内の矩形領域を含んでいることが好ましい。この場合、第２領域は、各コーナーにおける５０×５０ｍｍの各矩形領域を最低限含んでいればよく、またそのような各矩形領域のみで構成してもよい。
【００２０】
更に、前記第１領域の十点平均粗さによる表面粗さ（ＪＩＳ　Ｂ　０６０１−１９９４に準拠する。以下、同様）Ａが２〜５μｍ、前記第２領域の十点平均粗さによる表面粗さＢが０．５〜３μｍであり、且つ、Ａ＞Ｂであることが好ましい。すなわち、第１領域の表面粗さが、２μｍ未満であると、フェース部内表面での光の反射光の拡散性が低下して反射光が強くなり過ぎ、５μｍを超えると、前記反射光が弱くなる反面、良質のブラックストライプが得られない等の成膜性の悪化を招く。また、第２領域の表面粗さが、０．５μｍ未満であると、前記反射光が強くなるものの、これによる大きな支障が生じない反面、蛍光膜の付着力が低下するおそれ或いは成型用金型の製作困難化を招くおそれがあり、３μｍを超えると、前記反射光が弱くなる反面、成膜性の悪化を招く。したがって、第１領域及び第２領域の表面粗さは、上記の数値範囲内にあって、且つ、第１領域の表面粗さが第２領域の表面粗さよりも大きいことが好ましい。なお、第２領域については、上述の蛍光膜の付着力が低下するおそれ或いは成型用金型の製作困難化のおそれをより一層確実に低減させることを勘案すれば、その表面粗さを、１．７〜３μｍとすることが更に好ましい。
【００２１】
ところで、特開昭５６−１８３４５号公報によれば、フェース部の内表面における中央部の表面粗さが１．５〜１０μｍとされ、周縁部の表面粗さが０．５〜１．５μｍとされた陰極線管用パネルが開示されている。しかしながら、この公報に開示の陰極線管用パネルは、ブラックストライプの品位を良好にし且つ蛍光体の付着力を安定させることのみを目的として、フェース部内表面の中央部と周縁部とで表面粗さを相違させたものである。これに対して、本発明に係る陰極線管用ガラスパネルは、フェース部内表面での反射光による悪影響を回避することを主たる目的として、第１領域と第２領域とで表面粗さを相違させたものであるため、上記公報に開示の陰極線管用パネルの表面粗さと比較して、数値範囲が異なっており、また２つの領域の広さや比率、更には形状も必然的に異なることになる。
【００２２】
本発明に係る陰極線管用ガラスパネルは、上記構成において、前記第１領域と第２領域との間に、第１領域側から第２領域側に移行するに連れて表面粗さが小さくなる第３領域を介在させ、該第３領域に対する第１領域及び第２領域のそれぞれの境界が、前記中心軸をそれぞれの径方向中心とする同心上の円弧に沿うように形成されていることが好ましい。この場合、第３領域においては、第１領域側から第２領域側に移行するに連れて段階的に表面粗さが小さくなってもよく、或いは連続的（無段階的）に表面粗さが小さくなってもよい。なお、第１領域と第２領域とは、それぞれが略均一な表面粗さとされている。そして、既述のように、観察者がフェース部の画像の中心周辺を見る場合に視界の中で注意が注がれる領域は、中心軸を径方向中心とする略円弧で区画された領域となる傾向がある。したがって、第１領域と第３領域との境界が、中心軸を径方向中心とする円弧に沿うように形成されていれば、反射光が弱められる領域と観察者の注意が注がれる領域とを大略一致させることが可能となる。これにより、観察者が強い反射光による悪影響を受けるという事態が、より確実に抑制されると共に、第１領域の形成に無駄が生じ難くなる。更に、フェース部内表面に対する感光性樹脂や蛍光膜の塗布を遠心力を利用して行なう事と、ブラックストライプの露光をパネルの中心軸上の光源を利用して行なう事とを勘案すれば、成膜性が悪化する領域は、各コーナー部を含み且つ中心軸を径方向中心とする円弧の外周側の領域となる。したがって、第２領域と第３領域との境界が、上述のように中心軸を径方向中心とする円弧を基準として形成されていれば、成膜性が本来ならば悪化する領域と第２領域とを略一致させることが可能となり、成膜性を向上させる領域である第２領域を最適なエリアに形成できることになる。
【００２３】
この場合、前記第２領域と第３領域との境界は、第２領域の各コーナーにおける３０×３０ｍｍ〜８０×８０ｍｍの各矩形領域に接する円弧に沿うように形成されていることが好ましい。このようにすれば、各コーナー周辺部における成膜性を向上させる役割を果たす第２領域が不足するという事態を回避できると共に、フェース部内表面からの反射光の強い領域である第２領域が中心軸に近づき過ぎるという事態をも回避できることになり、有効に商品特性の改善を図ることが可能となる。
【００２４】
また、本発明に係る成型装置は、雌成型面を有し且つ溶融ガラス塊が供給される受け型と、雄成型面を有し且つ前記受け型内の溶融ガラス塊を押延する押し型とを備え、上述の本発明に係る陰極線管用ガラスパネルを成型する成型装置であって、前記押し型の雄成型面における前記陰極線管用ガラスパネルのフェース部の内表面に対応する成型面部が、該押し型を中心軸廻りに回転させつつサンドブラストを施すことにより形成されたものであることに特徴づけられる。
【００２５】
このような構成によれば、陰極線管用ガラスパネルのフェース部の内表面に対して、既述のように表面粗さが相違する第１、第２領域、更には第３領域を形成するための押し型を、容易に製造することが可能となる。すなわち、例えば第３領域に対する第１領域及び第２領域のそれぞれの境界が、中心軸をそれぞれの径方向中心とする同心上の円弧に沿うように形成されるパネルを成型するための押し型は、その成型面部に前記各境界に対応する円弧状部位を形成する必要がある。その場合に、前記成型面部は、押し型を中心軸廻りに回転させつつサンドブラストを施すことにより形成されるものであるから、その成型面部に容易に前記円弧状部位を形成することができる。また、例えば第３領域が第１領域側から第２領域側に移行するに連れて連続的に表面粗さが小さくなるパネルを成型するための押し型については、サンドブラストを使用するが故に、表面粗さが連続的に変化する部位を有する成型面部が容易に形成される。
【００２６】
【発明の実施の形態】
以下、本発明の実施形態を図面に基づいて説明する。なお、以下の説明において、陰極線管用ガラスパネルの構成は、図６に基づいて既に説明した通りであるので、その構成の説明を省略すると共に、図６に示す構成要件と共通のものについては、同一符号を使用する。
【００２７】
図１は、本発明の第１実施形態に係る陰極線管用ガラスパネル（以下、単にパネルという）１の平面図であって、該パネル１のフェース部２の内表面（有効画面）８と、該内表面８を取り囲むスカート部４の肉部輪郭とのみを模式的に示す図である。
【００２８】
同図に示すように、パネル１のスカート部４を構成する長辺部６ａ及び短辺部６ｂによって囲曉されたフェース部２の内表面８は、中心軸（管軸）Ｚを径方向中心とする略円形の第１領域１１と、各コーナー部５周辺を有し且つ内周縁が中心軸Ｚを径方向中心とする略円弧をなす第２領域１２と、第１領域１１と第２領域１２との間に介設された第３領域１３とから構成される。この場合、第２領域１２は、短軸Ｓの両側の対称位置に２つに分離して形成されている。したがって、第２領域１２と第３領域１３との境界となる円弧は、長辺部６ａで途切れた状態となっている。そして、フェース部２の中央部における波長５４６ｎｍの光の透過率は、５０％以上とされている。
【００２９】
前記第１領域１１は、第２領域１２に比して、フェース部２の外表面側からの光の反射を弱める特性、つまりその反射した光の拡散性を高めて反射光を弱める特性を有している。また、前記第３領域１３は、第１領域１１側から第２領域１２側に移行するに連れて前記反射光が連続的に強められる特性を有している。この場合、第１領域１１の面積は、フェース部２に映し出される画像を視聴者等の観察者が見る場合に、観察者の注意が特に注がれる広さに設定されている。一方、第２領域１２は、各コーナー部５に３０×３０ｍｍ以上で且つ８０×８０ｍｍ以下の各矩形領域１４、好ましくは５０×５０ｍｍの各矩形領域１４（同図の各コーナー部５における鎖線の内側領域）を含んでいる。詳しくは、これらの各矩形領域１４に、第２領域１２と第３領域１３との境界をなす円弧が接している。
【００３０】
前記第１領域１１の表面粗さは、第２領域１２の表面粗さよりも大きく、具体的には、第１領域１１の十点平均粗さによる表面粗さが、２〜５μｍであり、第２領域１２の十点平均粗さによる表面粗さが、０．５〜３μｍ、好ましくは１．７〜３μｍである。このような数値範囲とする理由は、第１領域１１の表面粗さが２μｍ未満であると、第１領域１１で反射する光の拡散性が低下して反射光が強くなり過ぎ、５μｍを超えると、反射光が弱くなる反面、成膜性の悪化を招くからである。加えて、第２領域１２の表面粗さが０．５μｍ未満（より好ましい効果を得るには１．７μｍ未満）であると、反射光が強くなるものの、これによる大きな支障が生じない反面、蛍光膜の付着力が低下するおそれ或いは成型用金型の製作困難化を招くおそれがあり、３μｍを超えると、反射光が弱くなる反面、成膜性の悪化を招くからである。
【００３１】
また、第３領域１３の表面粗さは、第１領域１１側から第２領域１２側に移行するに連れて略連続的に小さくなっている。したがって、第１領域１１は、表面粗さが相対的に大きく且つ全面に亘って略均一な表面粗さを有する領域であり、また第２領域１２は、表面粗さが相対的に小さく且つ全面に亘って略均一な表面粗さを有する領域であるのに対して、第３領域１３は、中心軸Ｚからの距離に略比例して表面粗さが漸次小さくなる領域である。
【００３２】
以上のようなフェース部２の内表面８を有するパネル１が構成要素である陰極線管によれば、視聴者等の観察者がフェース部２に映し出される画像を見ている場合に、観察者の注意力や意識は中心軸Ｚ及びその周辺部を含む第１領域１１に対応する部位に注がれる。そして、フェース部２の外表面側からの光がこの第１領域１１で反射した場合には、その反射光が弱められて観察者の目に入るため、周囲の風景などが第１領域１１で反射しても、その反射光が画像に写り込んで観察者の目に入る度合が少なくなる。
【００３３】
一方、各コーナー部５及びその周辺を含む第２領域１２については、その反射光が相対的に強くなっているが、観察者が第２領域１２を凝視することは殆どなく、しかも第２領域１２を観察者が見る時間は第１領域１１に比して極端に短くなる。したがって、第２領域１２からの反射光が画像に写り込んで観察者の目に入る確率が極めて低くなり、観察者がそれに注意を引かれるような事態は生じず、商品特性の低下を惹き起こすには至らない。
【００３４】
そして、このように第２領域１２からの反射光が第１領域１１からの反射光に比して強くなっても差し支えないことから、本来ならば成膜性が悪い各コーナー部５周辺における表面粗さを上述のように小さくすることが可能となり、これにより各コーナー部５及びその周辺における成膜性の改善が図られる。
【００３５】
図２は、本発明の第２実施形態に係るパネル１を例示するものである。この第２実施形態に係るパネル１が上述の第１実施形態に係るパネル１と相違している点は、第１領域１１と第３領域１３との境界をなす円弧が長辺部６ａで途切れているため、第１領域１１が、短軸Ｓ方向よりも長軸Ｌ方向に長尺に形成されている点と、第３領域１３が、短軸Ｓの両側の対称位置に２つに分離して形成されている点である。その他の構成要件については、上述の第１実施形態に係るパネル１と同一であるので、図２において、図１に示す構成要件と共通のものについては、同一符号を付してその説明を省略する。そして、この第２実施形態に係るパネル１によれば、上述の第１実施形態に係るパネル１と同一の作用効果が得られることに加えて、観察者が左右２つの目でフェース部２の画像の中心周辺を見ることを勘案すれば、反射光が弱められる第１領域１１と観察者の注意が注がれる領域とを大略一致させることができるという利点が得られる。
【００３６】
図３は、本発明の第３実施形態に係るパネル１を例示するものである。この第３実施形態に係るパネル１が上述の第１実施形態に係るパネル１と相違している点は、第１領域１１と第３領域１３との境界をなす円弧だけでなく、第２領域１２と第３領域１３との境界をなす円弧についても、長辺部６ａで途切れない円とされている点である。したがって、第２領域１２は、分離されない単一の領域となっている。その他の構成要件については、上述の第１実施形態に係るパネル１と同一であるので、図３において、図１に示す構成要件と共通のものについては、同一符号を付してその説明を省略する。そして、この第３実施形態に係るパネル１についても、上述の第１実施形態に係るパネル１と同一の作用効果が得られる。
【００３７】
図４は、本発明の第４実施形態に係るパネル１を例示するものである。この第４実施形態に係るパネル１が上述の第１実施形態に係るパネル１と相違している点は、第２領域１２が、各コーナー部５における３０×３０ｍｍ〜８０×８０ｍｍ、好ましくは５０×５０ｍｍの各矩形領域１４のみによって構成されている点である。したがって、第２領域１２は、４つに分離された状態にある。その他の構成要件については、上述の第１実施形態に係るパネル１と同一であるので、図４において、図１に示す構成要件と共通のものについては、同一符号を付してその説明を省略する。そして、この第４実施形態に係るパネル１についても、上述の第１実施形態に係るパネル１と同一の作用効果が得られる。
【００３８】
図５は、以上の実施形態に係るパネル１をプレス成型するための成型装置２０を例示するものであって、溶融ガラス塊をパネル１に押延した直後の状態を示すものである。同図に示すように、成型装置２０は、パネル１の外表面に対応する雌成型面２１を有する受け型２２と、パネル１の内表面に対応する雄成型面２３を有し且つ前記受け型２２の上方に昇降可能に配設された押し型（プランジャ金型）２４とを備える。そして、前記受け型２２は、底受け型（ボトム金型）２２Ａと中間受け型（シェル金型）２２Ｂとに分割され、この中間受け型２２Ｂは底受け型２２Ａに対して当接及び離反可能とされている。
【００３９】
前記押し型２４の雄成型面２３には、既に述べたパネル１のフェース部２の内表面８を成型するための内表面成型面部２３ａが形成されている。この内表面成型面部２３ａは、押し型２４を型中心軸Ｚ１の廻りに回転させながらサンドブラストを施すことによって形成される。したがって、上述の第１〜第３実施形態のように、第３領域１３に対する第１、第２領域１１、１２の各境界が円弧をなす内表面８を成型するための内表面成型面部２３ａを、容易に製作することが可能となる。なお、上述の第４実施形態の各第２領域１２を有する内表面８を成型するための内表面成型面部２３ａは、マスクを使用して形成することができる。
【００４０】
【実施例】
本発明の実施例として、フェース部の内表面が上述の第１実施形態に係るパネル１と同一形態（図１に示す内表面８と同一形態）のパネルを、第１領域と第２領域との表面粗さの組み合わせを相違させて計１１個製作した。そして、これらのパネルを使用して陰極線管を製作し、これらの陰極線管の成膜性と、パネルのフェース部に映し出される画像を見た場合の反射特性とを検査した。その検査結果を、下記の表１に示す。なお、表１中、反射特性とは、フェース部内表面での反射光が目障りになる度合を示すものであって、検査者の視覚を通じて判断した。また、表１中、○印は「良い」、△印は「やや良い」、×印は「悪い」を意味するものであって、○印及び△印が、製品として良品であると言えるものである。
【００４１】
【表１】
2004022244.tif 000003
【００４２】
上記表１によれば、第１領域の表面粗さが２．０で且つ第２領域の表面粗さが０．５の場合、第１領域の表面粗さが３．０で且つ第２領域の表面粗さが１．７の場合、第１領域の表面粗さが３．５で且つ第２領域の表面粗さが２．０の場合、第１領域の表面粗さが４．０で且つ第２領域の表面粗さが２．５の場合、及び第１領域の表面粗さが５．０で且つ第２領域の表面粗さが３．０の場合に、パネルが良品であることを認識できる。
【００４３】
そして、これらの良品のパネルは、第１領域の表面粗さが２．０〜５．０、第２領域の表面粗さが０．５〜３．０の範囲内にあって、且つ、第１領域の表面粗さが第２領域の表面粗さよりも大きいという条件を満たしている。
【００４４】
【発明の効果】
以上のように本発明に係る陰極線管用ガラスパネルによれば、フェース部の内表面における中心軸及びその周辺部を有する第１領域が、各コーナー及びその周辺部を有する第２領域に比して、フェース部の外表面側からの光の反射を弱める特性を有していることから、視聴者等の観察者の注意力や意識が主としてフェース部に映し出される画像の中心周辺部に注がれることを勘案すれば、その中心周辺部から観察者の目に入る反射光が弱くなる。これにより、周囲の風景などがフェース部内表面で反射しても、その反射光が画像に写り込んで観察者の目に入る度合が小さくなり、商品特性の向上を図ることが可能となる。一方、各コーナーの及びその周辺部については、フェース部内表面からの反射光が相対的に強くなっているが、コーナー周辺部を観察者が凝視することは殆どなく、しかもコーナー周辺部を観察者が見る時間は中心周辺部に比して極端に短いため、仮に反射光が画像に写り込んで観察者の目に入ったとしても、それに注意を引かれるような事態は生じず、商品特性の低下を惹き起こすには至らない。そして、このように各コーナー周辺部における反射光が中心周辺部に比して強くなっても差し支えないことから、各コーナー周辺部の微小凹凸の表面粗さを相対的に小さくすることが可能となって、各コーナー周辺部の成膜性の改善が図られる。
【００４５】
この場合、前記第１領域の外周縁が、前記中心軸を径方向中心とする円弧に沿うように形成されていれば、観察者がフェース部の画像の中心周辺を見る場合に視界の中で注意を注ぐ領域が、中心軸を径方向中心とする略円弧で区画された領域となる傾向があることを勘案して、反射光が弱められる領域と観察者の注意が注がれる領域とを大略一致させることが可能となるため、観察者が強い反射光による悪影響を受けるという事態が、より確実に抑制されると共に、第１領域の形成に無駄が生じ難くなる。
【００４６】
そして、上記の陰極線管用パネルを、フェース部の中央部における光の透過率が５０％以上のガラスで形成すれば、フェース部内表面の中心周辺部での反射光が、観察者にとって特に目立つ存在となるため、上述のように第１領域での反射光を相対的に弱めることに大きな意義が生じる。
【００４７】
また、前記第２領域の表面粗さを第１領域の表面粗さよりも相対的に小さくした上で、第２領域が、各コーナーに３０×３０ｍｍ〜８０×８０ｍｍの各矩形領域を含むように構成すれば、各コーナー周辺における成膜性を向上させるべき領域が不足する事態を回避した上で、フェース部内表面からの反射光の強い領域が中心軸に近づき過ぎることによる商品特性の低下を回避することが可能となる。
【００４８】
更に、前記第１領域の十点平均粗さによる表面粗さＡが２〜５μｍ、前記第２領域の十点平均粗さによる表面粗さＢが０．５〜３μｍであり、且つ、Ａ＞Ｂとなるように構成すれば、第１領域での反射光が強くなり過ぎること、及び成膜性の悪化を招くこと、並びに蛍光膜の付着力が低下するおそれや成型用金型の製作困難化を招くおそれがあることを、効果的に回避できる。
【００４９】
そして、前記第１領域と第２領域との間に、第１領域側から第２領域側に移行するに連れて表面粗さが小さくなる第３領域を介在させ、該第３領域に対する第１領域及び第２領域のそれぞれの境界が、前記中心軸をそれぞれの径方向中心とする同心上の円弧に沿うように形成されていれば、反射光が弱められる領域と観察者の注意が注がれる領域とを大略一致させることが可能となることに加えて、成膜性が本来ならば悪化する領域と第２領域とを的確に一致させることが可能となる。
【００５０】
また、前記第２領域と第３領域との境界が、第２領域の各コーナーにおける３０×３０ｍｍ〜８０×８０ｍｍの各矩形領域に接する円弧に沿うように形成されていれば、各コーナー周辺における成膜性を向上させる役割を果たす第２領域が不足するという事態を回避できると共に、フェース部内表面からの反射光の強い領域である第２領域が中心軸に近づき過ぎるという事態をも回避できることになり、有効に商品特性の改善を図ることが可能となる。
【００５１】
また、本発明に係る成型装置によれば、押し型の雄成型面におけるパネルのフェース部内表面に対応する成型面部が、該押し型を中心軸廻りに回転させつつサンドブラストを施すことにより形成されるものであるから、パネルのフェース部内表面に、既述のように円弧状の境界を介して表面粗さが相違する第１、第２、第３領域を形成するための押し型を、容易に製造することが可能となる。
【図面の簡単な説明】
【図１】本発明の第１実施形態に係る陰極線管用ガラスパネルを示す概略平面図である。
【図２】本発明の第２実施形態に係る陰極線管用ガラスパネルを示す概略平面図である。
【図３】本発明の第３実施形態に係る陰極線管用ガラスパネルを示す概略平面図である。
【図４】本発明の第４実施形態に係る陰極線管用ガラスパネルを示す概略平面図である。
【図５】本発明の各実施形態に係る陰極線管用ガラスパネルの製造に用いられる成型装置の要部縦断正面図である。
【図６】本発明の各実施形態に係る陰極線管用ガラスパネルを示す概略斜視図である。
【符号の説明】
１　　　パネル（陰極線管用ガラスパネル）
２　　　フェース部
４　　　スカート部
５　　　コーナー部
６ａ　　長辺部
６ｂ　　短辺部
８　　　フェース部の内表面
１１　　第１領域
１２　　第２領域
１３　　第３領域
１４　　コーナー部の矩形領域
２１　　雌成型面
２２　　受け型
２３　　雄成型面
２３ａ　成型面部（内表面成型面部）
２４　　押し型
Ｚ　　　中心軸（パネルの中心軸）
Ｚ１　　中心軸（型中心軸）
【図１】
2004022244.tif 000004
【図２】
2004022244.tif 000005
【図３】
2004022244.tif 000006
【図４】
2004022244.tif 000007
【図５】
2004022244.tif 000008
【図６】
2004022244.tif 000009